(57)【要約】【課題】操作時に誤って光センサーを一時的に手で覆ってしまったような場合のバックライト制御と、バックライト制御を行うか否かの選択とを可能にする。【解決手段】バックライト点灯制御を行うか否かをユーザに選択させて記憶部１５に登録し、点灯制御を行うと登録されている場合、キー操作がある度に、周囲の明るさとバックライトの点灯中，消灯中とを検出するとともに、現在時刻と記憶部１５に登録された昼間時間，夜間時間データとを照合して昼間時間か夜間時間かを判別し、昼間時間のバックライト点灯時または夜間時間においては、周囲の明るさが閾値未満のとき、昼間時間のバックライト消灯時においては、閾値未満の周囲の明るさが連続して所定回数続いたとき、に点灯条件を満たしていると判断し、周囲の明るさが暗いほどバックライト１３Ａ，１３Ｂが暗くなるように点灯させ、点灯後の所定時間内に次のキー操作がなかったときには消灯する。【選択図】      図１
2005006260.tif 000002
【特許請求の範囲】
【請求項１】
周囲の明るさを検出する光センサーと、
バックライトの点灯条件と、周囲の明るさに対応したバックライトの輝度データとが登録された記憶部と、
キー操作がある度に、前記光センサーの検出結果が前記点灯条件を満たしているかを判断し、前記点灯条件を満たしていた場合は、前記輝度データに基づきバックライトの輝度制御を行って点灯させるとともに、バックライト点灯後の所定時間内に次のキー操作がなかったときにはバックライトを消灯する制御部と、を有することを特徴とする携帯端末。
【請求項２】
時刻と昼間時間，夜間時間とを対応付けたデータと、昼間時間，夜間時間でそれぞれ異なるバックライトの点灯条件とが前記記憶部に登録され、前記制御部はキー操作がある度に、現在時刻と前記記憶部に登録された昼間時間，夜間時間データとを照合することにより昼間時間か夜間時間かを判別し、該当する点灯条件を満たしているかを判断することを特徴とする請求項１記載の携帯端末。
【請求項３】
周囲の明るさを検出する光センサーと、
時刻と昼間時間，夜間時間とを対応付けたデータと、昼間時間のバックライト点灯時または夜間時間においては、周囲の明るさが予め定めた閾値未満のときに点灯、昼間時間のバックライト消灯時においては、前記閾値未満の周囲の明るさが連続して所定回数続いたときに点灯、とするバックライトの点灯条件と、周囲の明るさに対応したバックライトの輝度データとが登録された記憶部と、
キー操作がある度に、現在時刻と前記記憶部に登録された昼間時間，夜間時間データとを照合することにより昼間時間か夜間時間かを判別するとともに、バックライトの点灯中，消灯中を検出して該当する昼間時間または夜間時間の点灯条件を満たしているかを判断し、点灯条件を満たしていた場合は、前記輝度データに基づきバックライトの輝度制御を行って点灯させるとともに、バックライト点灯後の所定時間内に次のキー操作がなかったときにはバックライトを消灯する制御部と、を有することを特徴とする携帯端末。
【請求項４】
前記輝度データは、周囲の明るさが暗いほど暗くなるように対応付けられたものであることを特徴とする請求項１，２または３記載の携帯端末。
【請求項５】
バックライトの点灯制御を行うか否かをユーザに選択させて前記記憶部に登録し、前記制御部はユーザの選択内容に応じてバックライトの点灯制御を行うか否かを決定することを特徴とする請求項１〜４のいずれか１項記載の携帯端末。
【請求項６】
バックライトの点灯制御を行う、夜間時間のみバックライトの点灯制御を行う、連続点灯、常時消灯、の少なくとも二つ以上の組み合わせの中から希望するバックライトの制御内容をユーザに選択させて前記記憶部に登録し、前記制御部はユーザの選択内容に応じてバックライトの制御を行うことを特徴とする請求項２，３または４記載の携帯端末。
【請求項７】
キー操作がある度に、周囲の明るさが予め設定された点灯条件を満たしているかを判断し、点灯条件を満たしていた場合は、周囲の明るさが暗いほどバックライトが暗くなるよう制御して点灯させるとともに、バックライト点灯後の所定時間内に次のキー操作がなかったときにはバックライトを消灯することを特徴とするバックライトの制御方法。
【請求項８】
キー操作がある度に昼間時間か夜間時間かとバックライトの点灯中，消灯中とを判断し、昼間時間のバックライト点灯時または夜間時間においては、周囲の明るさが予め定めた閾値未満のとき、昼間時間のバックライト消灯時においては、前記閾値未満の周囲の明るさが連続して所定回数続いたとき、に点灯条件を満たしていると判断し、点灯条件を満たしていたときに、周囲の明るさが暗いほどバックライトが暗くなるように制御して点灯させるとともに、バックライト点灯後の所定時間内に次のキー操作がなかったときにはバックライトを消灯することを特徴とするバックライトの制御方法。
【請求項９】
バックライトの点灯制御を行うか否かをユーザに選択させて記憶部に登録するステップと、点灯制御を行うと登録されている場合、キー操作がある度に、周囲の明るさとバックライトの点灯中，消灯中とを検出するとともに、現在時刻と予め前記記憶部に登録された昼間時間，夜間時間データとを照合することにより現在が昼間時間か夜間時間かを判別するステップと、昼間時間のバックライト点灯時または夜間時間においては、周囲の明るさが予め定めた閾値未満のとき、昼間時間のバックライト消灯時においては、前記閾値未満の周囲の明るさが連続して所定回数続いたとき、に点灯条件を満たしていると判断するステップと、点灯条件を満たしていたときに、周囲の明るさが暗いほどバックライトが暗くなるように制御して点灯させるステップと、バックライト点灯後の所定時間内に次のキー操作がなかったときにはバックライトを消灯するステップと、を有することを特徴とするバックライトの制御方法。
【請求項１０】
請求項７，８または９記載のバックライトの制御方法をコンピュータに実行させるためのプログラム。
【発明の詳細な説明】
【０００１】
【発明の属する技術分野】
本発明は、携帯端末，バックライトの制御方法およびプログラムに関する。
【０００２】
【従来の技術】
従来の携帯端末のバックライト制御としては、キーが操作されると光センサーにより周囲の明るさを検出し、周囲が明るければバックライトを暗く制御し、周囲が暗いときにはバックライトを明るく制御するようにしたものがある（例えば、特許文献１参照。）。
【０００３】
また、ＬＥＤを各キーに内蔵した発光ボタン式電話機において、キー操作があったときに昼間時間かを判断し、昼間時間であればＬＥＤをオフ（ＯＦＦ：消灯状態）にし、昼間時間でない場合にはＬＥＤをオン（ＯＮ：点灯状態）にする、または、昼間時間の場合、昼間時間でない場合のそれぞれにおいて、周囲の明るさが所定値未満であればＬＥＤをオンにし、周囲の明るさが所定値以上であればＬＥＤをオフとする、ように制御している例がある（例えば、特許文献２参照。）。
【０００４】
【特許文献１】
特開２００２−１６４９７２号公報（段落「０００５」、図２）
【特許文献２】
特開平１１−７４９５７号公報（段落「０００６」、「０００７」、図２）
【０００５】
【発明が解決しようとする課題】
しかし、上述した特許文献１，２に記載の発明においては、ユーザが携帯端末操作時に一時的に誤って光センサーを手で覆ってしまったり、周囲にある物で光センサーが覆われたような場合、昼間の明るい時間であってもバックライトが点灯してしまい、余分な電力消費を発生させてしまうという問題がある。
【０００６】
また、上述した特許文献１，２に記載の発明においては、バックライトの制御はキーが操作されると自動的に必ず行われるようになっており、「キー操作に関わらずバックライトを連続点灯させておきたい」、「バックライトを常時消灯の状態にしておきたい」、「キー操作により昼間時間，夜間時間を問わずバックライトの点灯・消灯制御を行わせたい」、「キー操作により夜間時間のみバックライトの点灯・消灯制御を行わせたい」、等のユーザの使用環境や使用状態に適した選択をユーザが行えないという問題がある。
【０００７】
また、上述した特許文献１に記載の発明は、周囲が明るければバックライトを暗く制御し、周囲が暗いときにはバックライトを明るく制御しているが、実際には暗くなればなる程わずかな明かりでも明るく感じることから、薄闇の中で丁度よいバックライトの明るさが暗闇の中では明るすぎて見づらいというような事態に対応できていないという問題がある。
【０００８】
また、上述した特許文献２に記載の発明においては、昼間時間か否か、または周囲の明るさに応じたバックライト（該当キー内蔵のＬＥＤ）の点灯または消灯の制御は行っているものの、点灯時のバックライトの輝度制御は行っていない。従って、周囲の明るさが暗いほど眩しさを防止するためにバックライトを暗くしていくという、人間の目を考慮した見易さに対する対策がとられていないという問題がある。
【０００９】
本発明は、以上の問題を解決する携帯端末，バックライトの制御方法およびプログラムを提供することを目的とする。
【００１０】
【課題を解決するための手段】
本発明の第１の携帯端末は、周囲の明るさを検出する光センサーと、
バックライトの点灯条件と、周囲の明るさに対応したバックライトの輝度データとが登録された記憶部と、
キー操作がある度に、前記光センサーの検出結果が前記点灯条件を満たしているかを判断し、前記点灯条件を満たしていた場合は、前記輝度データに基づきバックライトの輝度制御を行って点灯させるとともに、バックライト点灯後の所定時間内に次のキー操作がなかったときにはバックライトを消灯する制御部と、を有する。
【００１１】
本発明の第２の携帯端末は、本発明の第１の携帯端末において、時刻と昼間時間，夜間時間とを対応付けたデータと、昼間時間，夜間時間でそれぞれ異なるバックライトの点灯条件とが前記記憶部に登録され、前記制御部はキー操作がある度に、現在時刻と前記記憶部に登録された昼間時間，夜間時間データとを照合することにより昼間時間か夜間時間かを判別し、該当する点灯条件を満たしているかを判断することを特徴とする。
【００１２】
本発明の第３の携帯端末は、周囲の明るさを検出する光センサーと、
時刻と昼間時間，夜間時間とを対応付けたデータと、昼間時間のバックライト点灯時または夜間時間においては、周囲の明るさが予め定めた閾値未満のときに点灯、昼間時間のバックライト消灯時においては、前記閾値未満の周囲の明るさが連続して所定回数続いたときに点灯、とするバックライトの点灯条件と、周囲の明るさに対応したバックライトの輝度データとが登録された記憶部と、
キー操作がある度に、現在時刻と前記記憶部に登録された昼間時間，夜間時間データとを照合することにより昼間時間か夜間時間かを判別するとともに、バックライトの点灯中，消灯中を検出して該当する昼間時間または夜間時間の点灯条件を満たしているかを判断し、点灯条件を満たしていた場合は、前記輝度データに基づきバックライトの輝度制御を行って点灯させるとともに、バックライト点灯後の所定時間内に次のキー操作がなかったときにはバックライトを消灯する制御部と、を有する。
【００１３】
本発明の第４の携帯端末は、本発明の第１，第２または第３の携帯端末において、前記輝度データは、周囲の明るさが暗いほど暗くなるように対応付けられたものであることを特徴とする。
【００１４】
本発明の第５の携帯端末は、本発明の第１〜第４のいずれかの携帯端末において、バックライトの点灯制御を行うか否かをユーザに選択させて前記記憶部に登録し、前記制御部はユーザの選択内容に応じてバックライトの点灯制御を行うか否かを決定することを特徴とする。
【００１５】
本発明の第６の携帯端末は、本発明の第２，第３または第４の携帯端末において、バックライトの点灯制御を行う、夜間時間のみバックライトの点灯制御を行う、連続点灯、常時消灯、の少なくとも二つ以上の組み合わせの中から希望するバックライトの制御内容をユーザに選択させて前記記憶部に登録し、前記制御部はユーザの選択内容に応じてバックライトの制御を行うことを特徴とする。
【００１６】
本発明の第１のバックライトの制御方法は、キー操作がある度に、周囲の明るさが予め設定された点灯条件を満たしているかを判断し、点灯条件を満たしていた場合は、周囲の明るさが暗いほどバックライトが暗くなるよう制御して点灯させるとともに、バックライト点灯後の所定時間内に次のキー操作がなかったときにはバックライトを消灯することを特徴とする。
【００１７】
本発明の第２のバックライトの制御方法は、キー操作がある度に昼間時間か夜間時間かとバックライトの点灯中，消灯中とを判断し、昼間時間のバックライト点灯時または夜間時間においては、周囲の明るさが予め定めた閾値未満のとき、昼間時間のバックライト消灯時においては、前記閾値未満の周囲の明るさが連続して所定回数続いたとき、に点灯条件を満たしていると判断し、点灯条件を満たしていたときに、周囲の明るさが暗いほどバックライトが暗くなるように制御して点灯させるとともに、バックライト点灯後の所定時間内に次のキー操作がなかったときにはバックライトを消灯することを特徴とする。
【００１８】
本発明の第３のバックライトの制御方法は、バックライトの点灯制御を行うか否かをユーザに選択させて記憶部に登録するステップと、点灯制御を行うと登録されている場合、キー操作がある度に、周囲の明るさとバックライトの点灯中，消灯中とを検出するとともに、現在時刻と予め前記記憶部に登録された昼間時間，夜間時間データとを照合することにより現在が昼間時間か夜間時間かを判別するステップと、昼間時間のバックライト点灯時または夜間時間においては、周囲の明るさが予め定めた閾値未満のとき、昼間時間のバックライト消灯時においては、前記閾値未満の周囲の明るさが連続して所定回数続いたとき、に点灯条件を満たしていると判断するステップと、点灯条件を満たしていたときに、周囲の明るさが暗いほどバックライトが暗くなるように制御して点灯させるステップと、バックライト点灯後の所定時間内に次のキー操作がなかったときにはバックライトを消灯するステップと、を有する。
【００１９】
本発明のプログラムは、第１，第２または第３のバックライトの制御方法をコンピュータに実行させる。
【００２０】
【発明の実施の形態】
本発明の実施の形態について図面を参照して詳細に説明する。
【００２１】
図１は、本発明の一実施の形態の構成を示すブロック図であり、本発明の携帯端末１０は、ユーザが情報を入力するためのキー入力部１１と、各種情報を表示するためのＬＣＤ等の表示部１２と、キー入力部１１を照らすＬＥＤ等のバックライト１３Ａと、表示部１２を照らすＬＥＤ等のバックライト１３Ｂと、周囲の明るさ（照度）を検出する光センサー１４と、ＲＡＭ等の記憶部１５と、カレンダー情報（年月日），時刻情報を生成する時計部１６と、プログラムにより動作を制御されるＣＰＵ等の制御部１７とを備えている。
【００２２】
携帯端末１０は、ユーザが携帯する携帯電話機，ＰＨＳ（Ｐｅｒｓｏｎａｌ  Ｈａｎｄｙｐｈｏｎｅ  Ｓｙｓｔｅｍ），ＰＤＡ（Ｐｅｒｓｏｎａｌ  Ｄｉｇｉｔａｌ  Ａｓｓｉｓｔａｎｃｅ）等の電話端末や情報処理端末である。表示部１２は、携帯端末に一般的に用いられている半透過型ＬＣＤを想定している。光センサー１４は、バックライト１３Ａ，１３Ｂに照射されるキー入力部１１や表示部１２が備えられている携帯端末１０の操作面側ではなく、携帯端末１０の背面のユーザ操作時に手で覆われにくい場所に備えられている。
【００２３】
記憶部１５には、昼間／夜間時間データと、バックライト点灯条件データと、バックライト輝度データと、制御内容データとが予め登録されている。
【００２４】
昼間／夜間時間データとしては、１月〜１２月の月別に昼間時間と夜間時間が予め設定されている。例えば、その土地の日の出や日の入り時刻を参考にして、５月は午前６時〜午後７時が昼間時間、午後７時〜午前６時が夜間時間というように予め設定されている。
【００２５】
また、バックライト点灯条件データとしては、昼間時間における点灯条件データおよび夜間時間における点灯条件データが予め登録されている。昼間時間における点灯条件データは、バックライト１３Ａ，１３Ｂの消灯時にキー操作があった場合と、バックライト１３Ａ，１３Ｂの点灯時にキー操作があった場合とで異なる。消灯時にキー操作があった場合に対する点灯条件データとしては、光センサー１４が検出した周囲の明るさの値が、その値未満の場合はバックライト１３Ａ，１３Ｂを点灯させ、その値以上の場合は消灯させる周囲の明るさの閾値と、閾値未満の周囲の明るさが何回連続したときにバックライト１３Ａ，１３Ｂを点灯させるかを規定する基準回数とが登録されている。点灯時にキー操作があった場合に対する点灯条件データとしては、閾値だけが登録されている。また、夜間時間における点灯条件データとしては、閾値だけが登録されている。ここで、昼間時間の点灯条件について補足説明を行う。通常、昼間はバックライトを点灯させるほど暗くなる場面は少なく、例えば、ユーザの手や周囲の物等が誤って光センサー１４を一時的に覆ってしまった場合等、光センサー１４への光がたまたま遮られたような一過的な場面で点灯する可能性が高いと考えられる。このような場合は、光センサー１４の検出値は暗くても、携帯端末１０の操作面の周囲の明るさはあるため点灯する必要性はなく、この一過性の暗さによる点灯を防止することが望ましい。閾値未満の周囲の明るさが所定回数連続したときにバックライト１３Ａ，１３Ｂを点灯するように制御するのは、以上のような理由による。
【００２６】
バックライト輝度データとしては、バックライト１３Ａ，１３Ｂの点灯時に照射される明るさ（輝度）を決定する輝度データが予め登録されている。このデータは、図２（周囲の明るさとバックライト輝度との関係を示す図）に示すように、周囲の明るさが暗いほどバックライト１３Ａ，１３Ｂを暗くするように、周囲の明るさとバックライトの輝度とが対応付けて登録されている。これにより、暗闇における明るすぎるバックライト照明を防止するとともに、周囲が明るくなるほどバックライト証明が明るくなることから、半透過型の表示部１２における人間の目を考慮した見易さを実現可能としている。
【００２７】
制御内容データとしては、図３（バックライト制御内容登録画面の一例を示す図）に示す、「自動点灯・消灯制御」、「夜間のみ自動点灯・消灯制御」、「連続点灯」、「常時消灯」の４種類の制御内容が登録されており、これらの内のいずれがユーザにより選択されているかが併せて登録されている。この選択制御内容はユーザから選択される度に更新される。ユーザ選択前の初期設定は、例えば、「自動点灯・消灯制御」に設定されている。なお、「自動点灯・消灯制御」とは、キー操作により昼間時間，夜間時間を問わずバックライト１３Ａ，１３Ｂの点灯・消灯制御を行うことを意味し、「夜間のみ自動点灯・消灯制御」とは、キー操作により夜間時間のみバックライト１３Ａ，１３Ｂの点灯・消灯制御を行うことを、「連続点灯」とは、キー操作に関わらずバックライト１３Ａ，１３Ｂを連続点灯させておくことを、また、「常時消灯」とは、バックライト１３Ａ，１３Ｂを常時消灯させておくことを、それぞれ意味している。なお、「連続点灯」は、自動点灯・消灯制御では点灯しない程度の暗さではあるが、ユーザが目の疲れ等の何らかの理由で点灯状態で操作したい場合に選択し、「常時消灯」は、携帯端末１０を使用せずにバッグの中などの暗い場所に入れておく場合等に選択する。
【００２８】
次に、本発明の一実施の形態の動作について図１〜図４を参照して説明する。図４は、本発明の一実施の形態の動作を示すフローチャートである。
【００２９】
図４を参照すると、まず携帯端末１０の制御部１７は、電源がＯＮされると登録されているバックライトの制御内容を記憶部１５から取得する。このバックライトの制御内容は、携帯端末１０の表示部１２に表示されたバックライト制御内容登録画面（図３参照）において、キー入力部１１によりユーザに選択される（ステップＡ１）。
【００３０】
まず、制御内容が「自動点灯・消灯制御」で登録されていた場合（ステップＡ２）の動作について、ステップＡ３〜ステップＡ１３により説明する。
【００３１】
ユーザがキー入力部１１からキー操作を行うと、キー操作のあったことが制御部１７にキー入力部１１から伝達される（ステップＡ３）。キー操作がない場合、制御部１７は内部に一時的に記憶している直前のキー操作時刻から所定時間（例えば、１０秒）以上経過しているかを、時計部１６を参照して判断し（ステップＡ４）、経過していればバックライト１３Ａ，１３Ｂを消灯状態にする（ステップＡ５）。
【００３２】
ステップＡ３でキー操作があったときには、制御部１７は、時計部１６の現在年月日，時刻情報と記憶部１５の昼間／夜間時間データとを照合することにより、現在が昼間時間か夜間時間かを判断する（ステップＡ６）。昼間時間であった場合は、昼間時間のバックライト点灯条件を記憶部１５から読み出し（ステップＡ７）、夜間時間であった場合は、夜間時間のバックライト点灯条件を記憶部１５から読み出す（ステップＡ８）。そして、制御部１７は光センサー１４に周囲の明るさの検出を指示し、光センサー１４の検出値を取得する（ステップＡ９）。
【００３３】
次に、制御部１７は、点灯条件を満たしているかを判断する。夜間時間であれば、光センサー１４の検出値が記憶部１５に登録された閾値未満かを照合し、閾値未満であったときに点灯条件を満たしていると判断する。昼間時間の場合は、バックライト１３Ａ，１３Ｂの消灯時にキー操作があった場合と、バックライト１３Ａ，１３Ｂの点灯時にキー操作があった場合で異なる。消灯時にキー操作があった場合は、光センサー１４の検出値が連続して閾値未満であった回数が、記憶部１５に登録された基準回数に達したかにより判断される。点灯時にキー操作があった場合は、夜間時間と同様に、光センサー１４の検出値が記憶部１５に登録された閾値未満かを照合し、閾値未満であったときに点灯条件を満たしていると判断する。なお、制御部１７は、バックライト１３Ａ，１３Ｂが現時点で点灯／消灯のいずれであるかの判別手段を備えるとともに、消灯時のキー操作時の光センサー１４の検出値が閾値未満であった回数を内部の図示しないメモリに一時的に記憶している。この回数の記録については、消灯時のキー操作時に光センサー１４の検出値が閾値未満であったときに、その都度制御部１７が１回ずつ加えて更新する。また、閾値未満であった回数の記録は、バックライト１３Ａ，１３Ｂが点灯したときに制御部１７により０回にリセットされる（ステップＡ１０）。
【００３４】
ステップＡ１０において点灯条件を満たしていた場合は、制御部１７は、記憶部１５のバックライト輝度データを参照し、光センサー１４が検出した周囲の明るさに対応する輝度データを読み出し（ステップＡ１１）、バックライト１３Ａ，１３Ｂを読み出した輝度で点灯させる。この輝度の制御は、例えば、バックライト１３Ａ，１３Ｂに対する電流制御や電圧制御により行う（ステップＡ１２）。なお、バックライト１３Ａ，１３Ｂを点灯すると、ステップＡ３〜ステップＡ５に示すように、その後所定の時間が経過しても再びキー操作がなかった場合にはバックライト１３Ａ，１３Ｂを消灯するように制御する。また、ステップＡ１０において点灯条件を満たしていなかった場合は、制御部１７は、バックライト１３Ａ，１３Ｂを消灯状態にする（ステップＡ１３）。
【００３５】
次に、制御内容が「夜間のみ自動点灯・消灯制御」で登録されていた場合（ステップＡ１４）の動作について、ステップＡ１５〜ステップＡ１８およびステップＡ８〜ステップＡ１３により説明する。
【００３６】
制御部１７は、時計部１６の現在年月日，時刻情報と記憶部１５の昼間／夜間時間データとを照合することにより、現在が昼間時間か夜間時間かを判断する（ステップＡ１５）。夜間時間でなかった場合はステップＡ１に戻り、夜間時間であった場合は、制御部１７はキー入力部１１からのキー操作情報の有無を検出する（ステップＡ１６）。キー操作がない場合、制御部１７は内部に一時的に記憶している直前のキー操作時刻から所定時間（例えば、１０秒）以上経過しているかを、時計部１６を参照して判断し（ステップＡ１７）、経過していればバックライト１３Ａ，１３Ｂを消灯状態にする（ステップＡ１８）。
【００３７】
キー操作があった場合は、制御部１７は夜間時間のバックライト点灯条件を記憶部１５から読み出す（ステップＡ８）。そして、制御部１７は光センサー１４に周囲の明るさの検出を指示し、光センサー１４の検出値を取得する（ステップＡ９）。次に、制御部１７は、光センサー１４の検出値が記憶部１５に登録された閾値未満かを照合し、閾値未満であったときに点灯条件を満たしていると判断する（ステップＡ１０）。ステップＡ１０において点灯条件を満たしていた場合は、制御部１７は、記憶部１５のバックライト輝度データを参照して、光センサー１４が検出した周囲の明るさに対応する輝度データを読み出し（ステップＡ１１）、バックライト１３Ａ，１３Ｂを読み出した輝度で点灯させる（ステップＡ１２）。また、ステップＡ１０において点灯条件を満たしていなかった場合は、制御部１７は、バックライト１３Ａ，１３Ｂを消灯状態にする（ステップＡ１３）。
【００３８】
次に、制御内容が「連続点灯」で登録されていた場合（ステップＡ１９）の動作について、ステップＡ２０〜ステップＡ２２により説明する。
【００３９】
制御部１７は光センサー１４に周囲の明るさの検出を指示し、光センサー１４の検出値を取得する（ステップＡ２０）。次に、制御部１７は、記憶部１５のバックライト輝度データを参照して、光センサー１４が検出した周囲の明るさに対応する輝度データを読み出し（ステップＡ２１）、バックライト１３Ａ，１３Ｂを読み出した輝度で点灯させる（ステップＡ２２）。
【００４０】
次に、制御内容が「常時消灯」で登録されていた場合（ステップＡ２３）の動作について、ステップＡ２４〜ステップＡ２５により説明する。
【００４１】
制御部１７は、バックライト１３Ａ，１３Ｂが点灯しているか消灯しているかを判別する。点灯していない場合は、制御部１７は何も行わず、バックライトの制御内容がユーザから変更されるのを待つ（ステップＡ２４）。ステップＡ２４において点灯している場合には、制御部１７はバックライト１３Ａ，１３Ｂを消灯状態にする（ステップＡ２５）。
【００４２】
なお、以上の説明においては、バックライトの制御内容は、「自動点灯・消灯制御」、「夜間のみ自動点灯・消灯制御」、「連続点灯」、「常時消灯」の４種類として説明したが、これに限定されず、種々の組み合わせが可能である。例えば、「自動点灯・消灯制御」の１種類とし、「自動点灯・消灯制御をする」／「自動点灯・消灯制御をしない」のいずれかを選択させるようにしてもよいし、「自動点灯・消灯制御」／「夜間のみ自動点灯・消灯制御」の２種類のいずれかを選択させるようにしてもよい。
【００４３】
【発明の効果】
本発明は、通常は明るい昼間時間において、周囲の明るさがバックライト点灯の閾値未満のキー操作状態が所定回数続いた後にバックライトを点灯させるようにしたため、ユーザが携帯端末操作時に一時的に誤って光センサーを手で覆ってしまったような場合には点灯せず、余分な電力消費を防ぐことができるという効果がある。
【００４４】
また、本発明は、バックライトの制御内容を、「自動点灯・消灯制御」、「夜間のみ自動点灯・消灯制御」、「連続点灯」、「常時消灯」の４種類からユーザが選択できるようにしたため、ユーザの使用環境や使用状態に適したバックライトの制御が可能になるという効果がある。
【００４５】
また、本発明は、周囲が暗いほどバックライトを暗く制御することで、人間の目を考慮したバックライトの輝度制御を行っているため、暗闇等における眩しさの防止が可能になるという効果がある。
【図面の簡単な説明】
【図１】本発明の一実施の形態の構成を示すブロック図である。
【図２】周囲の明るさとバックライト輝度との関係を示す図である。
【図３】バックライト制御内容登録画面の一例を示す図である。
【図４】本発明の一実施の形態の動作を示すフローチャートである。
【符号の説明】
１０    携帯端末
１１    キー入力部
１２    表示部
１３Ａ，１３Ｂ    バックライト
１４    光センサー
１５    記憶部
１６    時計部
１７    制御部
【図１】
2005006260.tif 000003
【図２】
2005006260.tif 000004
【図３】
2005006260.tif 000005
【図４】
2005006260.tif 000006